(57)【要約】【課題】旅行中に撮影された写真の画像データを収集し、旅行者の希望を反映し、写真と文章により訪問先を容易に把握可能な旅行アルバムを提供する。【解決手段】複数の旅行者が参加する旅行中にディジタルカメラ４で撮影された写真の画像データをＰＣ３により収集し、その画像データを各訪問先に関連付けて管理しつつ、インターネット６を介して編集サーバ１に伝送する。編集サーバ１では、収集された画像データの中から各旅行者に適合する旅行アルバム１０に必要な画像データを選択し、選択された画像データと訪問先に対応する文章データを編集素材としてデータベース２から読み出し、訪問先毎に所定のレイアウトに従って電子的な編集処理を行い旅行アルバムデータを生成する。生成された旅行アルバムデータはインターネット６を介して印刷製本装置５に伝送され、所望の旅行アルバム１０が印刷製本されて各旅行者に提供される。【選択図】      図１
2004259006.tif 000002
【特許請求の範囲】
【請求項１】
複数の旅行者が参加する旅行における各々の訪問先で撮影された写真の画像データを収集し、当該画像データを前記各々の訪問先に関連付けて管理する画像データ収集管理手段と、
前記収集された画像データの中から、それぞれの前記旅行者に適合する旅行アルバムに掲載すべき写真の画像データを選択する画像データ選択手段と、
前記選択された画像データと、前記訪問先に対応する文章データとを編集素材として、それぞれの前記訪問先毎に所定のレイアウトに従って電子的な編集処理を行い、旅行アルバムデータを生成する編集処理手段と、
前記旅行アルバムデータに基づいて、前記各旅行者に対し、前記適合する旅行アルバムをそれぞれ提供する旅行アルバム提供手段と、
を備えることを特徴とする旅行アルバムサービスシステム。
【請求項２】
前記画像データは、前記旅行の行程において写真撮影に用いられるディジタルカメラから出力されるディジタルの画像データであることを特徴とする請求項１に記載の旅行アルバムサービスシステム。
【請求項３】
前記文章データは、前記各訪問先を説明する文章として予め用意されたガイド文データであることを特徴とする請求項１に記載の旅行アルバムサービスシステム。
【請求項４】
前記所定のレイアウトは、それぞれの前記旅行者について個別に指定可能であることを特徴とする請求項１に記載の旅行アルバムサービスシステム。
【請求項５】
前記旅行の行程における前記訪問先毎の日時情報を管理する行程管理手段を更に備え、
前記画像データ収集管理手段は、前記画像データに付加された撮影日時情報と前記訪問先毎の日時情報とに基づいて、前記画像データを前記各々の訪問先に関連付けることを特徴とする請求項１に記載の旅行アルバムサービスシステム。
【請求項６】
前記旅行アルバム提供手段は、前記旅行アルバムデータに基づいて印刷及び製本を行い、作成された旅行アルバムを提供することを特徴とする請求項１に記載の旅行アルバムサービスシステム。
【請求項７】
前記旅行アルバム提供手段は、前記旅行アルバムデータをネットワークを介して前記旅行者の端末に伝送することにより前記旅行アルバムを提供することを特徴とする請求項１に記載の旅行アルバムサービスシステム。
【請求項８】
前記旅行アルバム提供手段は、前記旅行アルバムデータを記録可能な記録媒体に記録し、当該記録媒体を提供することを特徴とする請求項１に記載の旅行アルバムサービスシステム。
【請求項９】
複数の旅行者が参加する旅行における各々の訪問先で撮影された写真の画像データを収集し、当該画像データを前記各々の訪問先に関連付けて管理する画像データ収集管理ステップと、
前記収集された画像データの中から、それぞれの前記旅行者に適合する旅行アルバムに掲載すべき写真の画像データを選択する画像データ選択ステップと、
前記選択された画像データと、前記訪問先に対応する文章データとを編集素材として、それぞれの前記訪問先毎に所定のレイアウトに従って電子的な編集処理を行い、旅行アルバムデータを生成する編集処理ステップと、
前記旅行アルバムデータに基づいて、前記各旅行者に対し、前記適合する旅行アルバムをそれぞれ提供する旅行アルバム提供ステップと、
を有することを特徴とする旅行アルバムサービス方法。
【請求項１０】
前記文章データは、前記各訪問先を説明する文章として予め用意されたガイド文データであることを特徴とする請求項９に記載の旅行アルバムサービス方法。
【請求項１１】
前記所定のレイアウトは、それぞれの前記旅行者について個別に指定可能であることを特徴とする請求項９に記載の旅行アルバムサービス方法。
【請求項１２】
前記旅行の行程における前記訪問先毎の日時情報を管理する行程管理ステップを更に有し、
前記画像データ収集管理ステップにおいて、前記画像データに付加された撮影日時情報と前記訪問先毎の日時情報とに基づいて、前記画像データを前記各々の訪問先に関連付けることを特徴とする請求項９に記載の旅行アルバムサービス方法。
【発明の詳細な説明】
【０００１】
【発明の属する技術分野】
本発明は、旅行中に撮影された写真を掲載した旅行アルバムを旅行者に提供する旅行アルバムサービスシステムに関し、特に、旅行中に撮影された写真に対応する画像データを旅行者と訪問先に関連付けて管理し、選択された画像データと訪問先の文章データに基づいて編集処理を行うように構成された旅行アルバムサービスシステム及びその方法に関するものである。
【０００２】
【従来の技術】
一般に、旅行に参加する旅行者は訪問先で写真を撮影する機会が多い。そして、撮影した多数の写真は旅行の思い出としてアルバム等で保存する場合もあるが、実際には手作業の煩雑さを避けるため十分に整理がされず、後に写真を見たときに訪問先との関連や撮影時の状況を把握できないことも少なくない。また、旅行の訪問先で入手したパンフレット等の資料を、旅行の思い出として写真とともに整理して保存することの要望もある。
【０００３】
一方、近年ではディジタルカメラの普及が進み、旅行中に撮影された写真はディジタルの画像データとして取得されることが多くなった。そこで、旅行中にディジタルカメラで写真撮影を行って得られた画像データを用いてソフトウェアによる編集処理を行い、電子的な旅行アルバムを作成することが提案されている（例えば、特許文献１参照）。このように電子的な旅行アルバムは、短時間内に作成可能であり、煩雑な手作業も不要である点において有用である。
【０００４】
【特許文献１】
特開２００２−１８３７４２
【０００５】
【発明が解決しようとする課題】
しかし、団体旅行は多数の旅行者が参加するものであり、さらには多くの観光地を訪れる行程が組まれたものも少なくない。このような団体旅行において上記従来の旅行アルバムを作成すると、膨大な数の画像データを含む旅行アルバムになる可能性もある。この場合、各々の旅行者にとっては不要な写真も存在するし、多数の写真と各々の訪問先を関連付けて把握することが困難になりかねない。すなわち、上記従来の旅行アルバムでは、電子的な編集処理を行ったとしても、必ずしも画像データが十分に整理された状態になるとは限らず、また、各々の旅行者の希望を反映させたり、写真と訪問先の関連付けを明確に把握可能な旅行アルバムを提供できないことが問題であった。
【０００６】
そこで、本発明はこのような問題に鑑みなされたものであり、複数の旅行者が参加する旅行に際し各々の訪問先で撮影された写真の画像データを収集し、各々の旅行者の希望を反映させるともに写真と訪問先の関係を明確に把握可能な旅行アルバムを提供し得る旅行アルバムサービスシステム等を実現することを目的とする。
【０００７】
【課題を解決するための手段】
上記課題を解決するために、本発明の旅行アルバムサービスシステムは、複数の旅行者が参加する旅行における各々の訪問先で撮影された写真の画像データを収集し、当該画像データを前記各々の訪問先に関連付けて管理する画像データ収集管理手段と、前記収集された画像データの中から、それぞれの前記旅行者に適合する旅行アルバムに掲載すべき写真の画像データを選択する画像データ選択手段と、前記選択された画像データと、前記訪問先に対応する文章データとを編集素材として、それぞれの前記訪問先毎に所定のレイアウトに従って電子的な編集処理を行い、旅行アルバムデータを生成する編集処理手段と、前記旅行アルバムデータに基づいて、前記各旅行者に対し、前記適合する旅行アルバムをそれぞれ提供する旅行アルバム提供手段と、を備えることを特徴としている。
【０００８】
このように構成された旅行アルバムサービスシステムは、旅行中に撮影された写真の画像データが収集され、写真撮影を行った訪問先と関連付けられて管理される。そして、旅行者に適合する旅行アルバムを作成すべく、画像データが選択された後、編集処理により画像データと文章データを編集素材とした上で、所定のレイアウトで旅行アルバムデータが生成される。その後、生成された旅行アルバムデータに基づき、印刷・製本したり、あるいは電子データの状態のまま、各旅行者に所望の旅行アルバムが提供される。よって、旅行者にとって煩雑な手作業を行うことなく短時間内に旅行アルバムが提供され、これにより訪れた訪問先と写真及び文章の関連を明確に把握することができる。また、この旅行アルバムには、各々の旅行者が写真の選択等に自らの希望を反映させることができ、それぞれの旅行者に適した独自の旅行アルバムを入手することができる。
【０００９】
また、本発明において、前記画像データは、前記旅行の行程において写真撮影に用いられるディジタルカメラから出力されるディジタルの画像データとしてもよい。
【００１０】
これにより、急速に普及が進みつつあるディジタルカメラを用いて、旅行中に写真撮影を行った場合であっても、得られた多数の画像データを上述の旅行アルバムにまとめることができ、旅行者が個人的に画像データを保存するよりも簡単で整理された形態にして残すことができる。
【００１１】
また、本発明において、前記文章データは、前記各訪問先を説明する文章として予め用意されたガイド文データとしてもよい。
【００１２】
これにより、旅行者に提供される旅行アルバムには、訪問先のガイド文が写真とともに掲載されることになり、撮影した写真を訪問先の知識とともに保存して価値を高めることができる。
【００１３】
また、本発明において、前記所定のレイアウトは、それぞれの前記旅行者について個別に指定可能としてもよい。
【００１４】
これにより、旅行者に提供される旅行アルバムは、そのレイアウトを個別に指定可能であるので、旅行アルバムの独自性をより高めることができる。
【００１５】
また、本発明において、前記旅行の行程における前記訪問先毎の日時情報を管理する行程管理手段を更に備え、前記画像データ収集管理手段は、前記画像データに付加された撮影日時情報と前記訪問先毎の日時情報とに基づいて、前記画像データを前記各々の訪問先に関連付けるようにしてもよい。
【００１６】
これにより、旅行の行程に基づいて訪問先毎の日時情報を判別するともに、画像データに付加された撮影日時情報を判別することにより、それぞれを対比して訪問先と画像データを関連付けることができる。よって、旅行中に多数の訪問先を訪れ、多数の写真を撮影した場合であっても、日時に基づいて両者を関連付けることができ、写真と訪問先の関係を明確にした旅行アルバムを作成することができる。
【００１７】
また、本発明において、前記旅行アルバム提供手段は、前記旅行アルバムデータに基づいて印刷及び製本を行い、作成された旅行アルバムを提供してもよい。
【００１８】
これにより、旅行者は、従来からの形態の旅行アルバムを自らの手作業を行うことなく入手でき、しかも短時間内に作成可能であるため、例えば、旅行の最終日などのタイミングであっても速やかに入手できる。
【００１９】
また、本発明において、前記旅行アルバム提供手段は、前記旅行アルバムデータをネットワークを介して前記旅行者の端末に伝送することにより前記旅行アルバムを提供してもよい。
【００２０】
これにより、旅行者は自らの端末を操作し、ネットワーク経由で伝送された旅行アルバムデータを端末に保存し、ディスプレイ等で手軽に参照することができ、利便性を高めることができる。
【００２１】
また、本発明において、前記旅行アルバム提供手段は、前記旅行アルバムデータを記録可能な記録媒体に記録し、当該記録媒体を提供してもよい。
【００２２】
これにより、旅行者は、ＣＤやＤＶＤ等の記録媒体を入手した上で、それを端末にセットして旅行アルバムデータを読み出し、ディスプレイ等で手軽に参照することができ、印刷・製本する場合よりも携帯に便利で、保存性を高めることができる。
【００２３】
上記課題を解決するために、本発明の旅行アルバムサービス方法は、複数の旅行者が参加する旅行における各々の訪問先で撮影された写真の画像データを収集し、当該画像データを前記各々の訪問先に関連付けて管理する画像データ収集管理ステップと、前記収集された画像データの中から、それぞれの前記旅行者に適合する旅行アルバムに掲載すべき写真の画像データを選択する画像データ選択ステップと、前記選択された画像データと、前記訪問先に対応する文章データとを編集素材として、それぞれの前記訪問先毎に所定のレイアウトに従って電子的な編集処理を行い、旅行アルバムデータを生成する編集処理ステップと、前記旅行アルバムデータに基づいて、前記各旅行者に対し、前記適合する旅行アルバムをそれぞれ提供する旅行アルバム提供ステップと、を有することを特徴としている。
【００２４】
また、本発明において、前記文章データは、前記各訪問先を説明する文章として予め用意されたガイド文データとしてもよい。
【００２５】
また、本発明において、前記所定のレイアウトは、それぞれの前記旅行者について個別に指定可能としてもよい。
【００２６】
また、本発明において、前記旅行の行程における前記訪問先毎の日時情報を管理する行程管理ステップを更に有し、前記画像データ収集管理ステップにおいて、前記画像データに付加された撮影日時情報と前記訪問先毎の日時情報とに基づいて、前記画像データを前記各々の訪問先に関連付けるようにしてもよい。
【００２７】
このように、本発明を旅行アルバムサービス方法に対して適用した場合であっても、上述の旅行アルバムサービスシステムと同様の作用、効果を達成することができる。
【００２８】
【発明の実施の形態】
以下、本発明の好適な実施の形態を図面に基づいて説明する。以下では、所定の旅行業者が企画・運営する団体ツアーにおいて、参加する各々の旅行者に所望の旅行アルバムを提供する旅行アルバムサービスシステムに対して本発明を適用した実施形態を説明する。
【００２９】
図１は、本実施形態に係る旅行アルバムサービスシステムの全体を示す概略構成図である。図１に示す旅行アルバムサービスシステムは、旅行業者によって構築される編集サーバ１と、編集サーバ１の処理に必要な各種データを蓄積するデータベース２と、団体ツアーの担当者が業務に利用する携帯型のパーソナルコンピュータ（以下、ノートＰＣと呼ぶ）３と、団体ツアーの訪問先で写真撮影に用いられる複数のディジタルカメラ４と、現地業者が旅行アルバム１０の印刷及び製本を行う目的で用いる印刷製本装置５と、データを伝送するネットワークとしてのインターネット６を含んで構成されている。
【００３０】
なお、図１において、編集サーバ１及びデータベース２は、本発明の編集処理手段として機能する。また、ノートＰＣ３は、編集サーバ１及びデータベース２と相俟って、本発明の画像データ収集管理手段、画像データ選択手段、行程管理手段として機能する。また、印刷製本装置５は、編集サーバ１と相俟って、本発明の旅行アルバム提供手段として機能する。
【００３１】
以上の構成において、編集サーバ１は、各々の訪問先で撮影された写真の画像データや、訪問先に対応する文章データとしてのガイド文データを組み合わせ、指定されたレイアウトに従って自動編集を行い、旅行アルバムデータを生成する。後述するように、編集サーバ１では、団体ツアーにおける各々の旅行者に応じて異なる写真の選択とレイアウトで編集処理を行うことができる。図１に示すように、編集サーバ１はインターネット６に接続され、ノートＰＣ３から送られる画像データを収集するとともに、生成された旅行アルバムデータを印刷製本装置５に向けて送出する。なお、編集サーバ１により実行される具体的な編集処理については後述する。
【００３２】
データベース２には、編集処理に必要な編集素材として、収集された画像データが順次蓄積されるととともに、予め用意された上述のガイド文データが訪問先と対応付けられて記憶されている。また、データベース２には、旅行者の希望を反映した旅行アルバムのレイアウト指定データが保持されている。これら画像データやガイド文データ、あるいはレイアウト指定データは、編集処理に際して編集サーバ１により読み出される。さらに、データベース２には、旅行業者により企画・運営される団体ツアーの関連情報として、団体ツアーの行程管理情報や旅行者の個人情報などが保持され、必要に応じて参照可能となっている。
【００３３】
ノートＰＣ３は、団体ツアーの担当者が、画像データや各種関連情報を処理するとともに、インターネット６を介して編集サーバ１との間でデータを送受信するために利用する。団体ツアーの際には多数の画像データが取得されるので、これらを訪問先や各旅行者と関連付けて整理する必要があり、その目的のためノートＰＣ３により、後述の行程管理情報と画像属性管理テーブルが作成管理されることになる。なお、ノートＰＣ３は、データ処理が可能でインターネット接続機能を備えた携帯型情報端末で置き換えてもよく、また、インターネット６への接続方法としては、有線、無線のいずれであってもよい。
【００３４】
ディジタルカメラ４は、所定の被写体に向けて写真撮影を行いディジタルの画像データを出力する。ディジタルカメラ４から出力される画像データは、例えば、一旦メモリカードに記憶され、このメモリカードを上述のノートＰＣ３で読み込ませることにより取り込むことができる。本実施形態では、現地の写真業者が撮影に使うディジタルカメラ４、旅行者が持参する個人所有のディジタルカメラ４、旅行業者が旅行者に貸与するディジタルカメラ４のいずれの形態であっても利用可能である。
【００３５】
印刷製本装置５は、インターネット６を介して編集サーバ１から送られた旅行アルバムデータを取り込み、印刷処理を行って所定の用紙に印刷する。その後、製本処理を行って、旅行者毎に異なる複数の旅行アルバム１０が作成される。本実施形態では、団体ツアーの最終日までに、印刷製本装置５により旅行アルバム１０の作成を完了し、後述するように団体ツアーの終着地で旅行者にそれぞれの旅行アルバム１０を渡すようにしている。
【００３６】
次に、図２〜図４を参照して、上記の団体ツアーにおける行程の具体例と画像データの伝送方法について説明し、併せて行程及び画像データの管理について説明する。図２は、上記の団体ツアーの行程の具体例について、行程中の画像データの流れとともに説明する図である。図２の例では、出発地から観光地Ａ、Ｂ、Ｃ〜Ｘをそれぞれ訪問先として順次観光し、最後に終着地に到達して旅行者に旅行アルバム１０を渡すまでの団体ツアーの行程を示している。
【００３７】
ここで、団体ツアーの行程は、図３に示す行程管理情報に基づいて管理される。図３においては、対象となる団体ツアーについて、図２の行程における訪問先が含まれる行程管理情報を示している。図３に示すように、行程管理情報には、時系列に沿って訪問順序と訪問先名称が記録されるとともに、訪問先毎の日時情報として到着日時及び出発日時が記録されている。通常、団体ツアーの企画段階で行程の予定が決まるので、それに対応する行程管理情報を作成することができるが、実際には団体ツアーにおいて、現地での行程が当初の予定から変更される可能性もある。よって、団体ツアーの担当者が、図３に示す工程管理情報のデータ項目を適宜に更新管理することが必要となる。この行程管理情報はノートＰＣ３で保存管理されることに加え、編集処理の際に利用すべく、所定のタイミングでインターネット６を介してデータベース２に送られ保存される。
【００３８】
一方、図２に示す団体ツアーに行程において、各々の訪問先でディジタルカメラ４による写真撮影が行われるので、得られる多数の画像データが順次ノートＰＣ３に取り込まれる。そして、図２において、ノートＰＣ３の画像データを観光地Ａ、Ｃ、Ｘからインターネット６を介して編集サーバ１に伝送する例を示している。このように、画像データの伝送は、団体ツアーの担当者が適切なタイミングで行うことができ、例えば、それぞれの訪問先から画像データを頻繁に伝送するケースや、最後の訪問先から全部の画像データを一度に伝送するケースなどが考えられる。
【００３９】
一方、団体ツアーの担当者は、各訪問先における画像データを取得することに加え、図４に示す画像属性管理テーブルを作成して管理する。この画像属性管理テーブルは、後述の編集処理に際し、各々の画像データを団体ツアーの訪問先及び旅行者と関連付けるために利用される。図４に示すように、画像属性管理テーブルには、取得順に沿って各画像データに付与される画像番号と、写真撮影が行われた撮影日時が記録されている。通常、ディジタルカメラ４から出力される画像データには、撮影日時が付加されているので、それを抽出すればよい。
【００４０】
また、図４に示す画像属性管理テーブルには、旅行者が旅行アルバム１０に掲載する写真の選択の可否を判断するための旅行者選択情報が記録されている。すなわち、旅行者は、団体ツアーで撮影された写真の全てを必要とするわけではなく、被写体の嗜好や自分が写っているか否かで旅行アルバム１０へ掲載の要／不要を判断する。そこで、団体ツアーの担当者は各旅行者に写真の要／不要を確認した上で、その写真の画像データに対し、希望する旅行者に付与された旅行者コードをノートＰＣ３に入力し、画像属性管理テーブルの旅行者選択情報として記録する。
【００４１】
この画像属性管理テーブルは、団体ツアーの行程中で適宜に更新する必要があるため、ノートＰＣ３で保存管理されるが、上記の行程管理情報と同様に所定のタイミングでインターネット６を介してデータベース２に送られ保存される。なお、行程管理情報と画像属性管理テーブルをデータベース２に保存し、これらの更新管理をノートＰＣ３から編集サーバ１にアクセスして遠隔操作により行うようにしてもよい。
【００４２】
次に、本実施形態に係る旅行アルバムサービスシステムにおいて、編集サーバ１によって実行される編集処理について、図５及び図６を参照しながら説明する。それぞれ、図５は、編集サーバ１により実行される編集処理の流れを示すフローチャートであり、図６は、旅行アルバム１０の所定ページの具体例である。なお、図５に示す編集処理は、団体ツアーの全ての訪問先における画像データが収集され、上述の行程管理情報及び画像属性管理テーブルの内容が確定した時点から開始することができる。
【００４３】
図５に示すように、編集サーバ１による編集処理が開始されると、編集対象である旅行アルバム１０を提供する対象となる旅行者を設定する（ステップＳ１１）。すなわち、本実施形態では、旅行者のそれぞれに適合する旅行アルバム１０を提供すべく、掲載する写真やレイアウトが異なる複数の旅行アルバムデータを編集する必要があるので、最初に対象の旅行者を設定する必要がある。
【００４４】
次に、設定された旅行者に対応するレイアウト指定データをデータベース２から読み出して設定する（ステップＳ１２）。旅行アルバム１０に指定可能なレイアウトには、例えば、写真やガイド文の配置、写真のサイズ、フォント種別、フォントサイズ、色の設定などがある。本実施形態では、予め旅行者に対し旅行アルバム１０のレイアウトの希望を調べた上で、それぞれの旅行者について個別のレイアウト指定データを生成し、データベース２に記憶させることができる。
【００４５】
次に、団体ツアーの行程に含まれる訪問先の中から、所定の訪問先を指定する（ステップＳ１３）。通常は、旅行アルバム１０には訪問順序に従って写真とガイド文が掲載されるので、ステップＳ１３も訪問順序に従って指定される。そして、データベース２に保存されている画像データのうち、編集素材として用いる画像データを選択する（ステップＳ１４）。まず、ステップＳ１３で指定された訪問先に対応する画像データを選択するため、上述の画像属性管理テーブル（図４）と行程管理情報（図３）を照合する。そして、行程管理情報における訪問先毎の到着日時及び出発日時と、画像属性管理テーブルにおける各画像データの撮影日時とを比較して、指定された訪問先で撮影されたと判断される画像データを抽出する。さらに、画像属性管理テーブルのうち旅行者選択情報を参照して、ステップＳ１１で設定された旅行者の旅行者コードに一致する画像データのみに限定することにより、編集素材とすべき画像データが選択されることになる。
【００４６】
次に、旅行アルバムデータの所定ページに、ステップＳ１４で選択された画像データを電子的に貼り付ける（ステップＳ１５）。このとき、画像データを貼り付ける座標は、ステップＳ１２で設定されたレイアウトに基づいて判別される。なお、ステップＳ１４で選択される画像データは、訪問先と旅行者に応じて個数が様々であるため、画像データの選択個数に応じてステップＳ１５で貼り付けが行われるページ数は変化する。
【００４７】
続いて、ステップＳ１３で指定された訪問先に関連付けられた編集素材としてのガイド文データをデータベース２から読み出して、旅行アルバムデータの所定ページにガイド文データを電子的に貼り付ける（ステップＳ１６）。このとき、ガイド文データを貼り付ける座標やフォント種別、フォントサイズなどは、ステップＳ１２で設定されたレイアウトに基づいて判別される。
【００４８】
なお、旅行アルバム１０に貼り付ける編集素材としては、画像データ及びガイド文データに加え、各種の情報を付加することができる。例えば、旅行アルバムに記載されるページ番号、訪問先名称などを付加してもよい。
【００４９】
ここで、ステップＳ１５、Ｓ１６により画像データとガイド文データを両方貼り付けて編集処理を行うことにより、旅行アルバム１０の所定ページは、図６に示すようなレイアウトで印刷される。図６においては、ページ上部から順に、訪問先名称と、画像データに基づく訪問先の写真と、ガイド文データに基づく訪問先を説明するガイド文とが配置されている。
【００５０】
なお、図６の例では、１個の画像データが選択された場合を示しているが、複数の画像データが選択された場合は、複数の写真が順番に配置されて、最後に上記のガイド文が配置されることになる。また、特定の訪問先について、画像データが選択されなかった場合、ガイド文のみを配置してもよい。また、１ページ内には、複数の訪問先に対応する写真とガイド文を配置してもよい。
【００５１】
次に、図５において、団体ツアーの行程に含まれる全ての訪問先について、ステップＳ１３〜Ｓ１６の処理を終えたか否かを判断する（ステップＳ１７）。上述したように、訪問順序に従って編集処理を行うのが通常であるため、ステップＳ１７では、団体ツアーの最後の訪問先に達したか否かを判断すればよい。ステップＳ１７の判断結果が「ＮＯ」であるときは、次の訪問先についてステップＳ１３〜Ｓ１６の処理が再度実行される。
【００５２】
一方、ステップＳ１７の判断結果が「ＹＥＳ」となって、全ての訪問先について編集処理が完了した段階で、設定された旅行者に適合する旅行アルバムデータが生成される（ステップＳ１８）。次に、団体ツアーに参加した全ての旅行者について、ステップＳ１１〜Ｓ１８の処理を終えたか否かを判断する（ステップＳ１９）。ステップＳ１９では、旅行者コードの順序に従って、最後の旅行者コードに達したか否かを判断すればよい。ステップＳ１９の判断結果が「ＮＯ」であるときは、次の訪問者についてステップＳ１１〜Ｓ１８の処理が再度実行される。
【００５３】
一方、ステップＳ１９の判断結果が「ＹＥＳ」となって、全ての旅行者について編集処理が完了した段階で、設定された旅行者に適合する旅行アルバムデータ図５の処理を終える。図５に示す編集処理は、旅行アルバム１０を渡すべき全ての旅行者について行われ、それぞれの旅行者の希望を反映した複数の旅行アルバムデータが順次生成されることになる。
【００５４】
このように生成された旅行アルバムデータは、データベース２に保存され、所定のタイミングでインターネット６を介して現地業者の印刷製本装置５に伝送される。このとき、図２を例にとると、団体ツアーの終着地で各旅行者に旅行アルバム１０を渡す必要があるので、観光地Ｘにて最後の画像データが伝送された後、図５の編集処理及び印刷製本装置５への旅行アルバムデータの伝送を迅速に行う必要がある。また、現地業者の印刷製本装置５の側でも、旅行アルバムデータを受け取った後、これに基づく印刷処理及び製本を短時間で完了させる必要がある。
【００５５】
ここで、本実施形態に係る旅行アルバムサービスシステムでは、印刷製本装置５を本発明の旅行アルバム提供手段とする場合を説明したが、この旅行アルバム提供手段については、以下のような変形例がある。第１の変形例として、上記のように旅行アルバム１０の印刷製本を行う代わりに、編集処理により生成された旅行アルバムデータを伝送した上で現地業者が記録媒体に書き込み、その記録媒体を各旅行者に配布してもよい。この場合、現地業者が各旅行者に配布する場合に限らず、編集サーバ１の側で記録媒体への書き込みを行って得られた記録媒体を各旅行者に郵送してもよい。なお、旅行アルバムデータを書き込む記録媒体としては、記録可能なＣＤ−ＲやＤＶＤ−Ｒ等を用いることができる。
【００５６】
次に、第２の変形例として、編集処理により生成された旅行アルバムデータをインターネット６に接続されたＷＥＢサーバ上のＷＥＢページに置き、旅行者がＷＥＢページにアクセスして旅行アルバムデータをダウンロードすることにより提供してもよい。この場合、旅行者に対し、ＷＥＢページにアクセスするためのユーザＩＤとパスワードを付与することが望ましい。これにより、機密性を確保した上で、アクセス時に認証を行って旅行者を特定し、その旅行者に適合する旅行アルバムデータを選択的に伝送することができる。
【００５７】
以上説明したように、本実施形態に係る旅行アルバムサービスシステムによれば、旅行の行程中にディジタルカメラ４により多数の写真撮影が行われた場合であっても、それらを一旦ＰＣ３により集めた上で、画像属性管理テーブルにより管理しつつ、編集サーバ１に伝送して編集素材として利用させることができる。よって、多数の画像データに対し、訪問先との関連付けや旅行者の選択を明確にすることができ、それを旅行アルバム１０の編集に反映させることができる。
【００５８】
また、編集サーバ１の側では、収集された画像データに加えて、文章データとしてのガイド文データをデータベース２に記憶させ、これらを編集処理において編集素材として用いることができる。よって、各々の訪問先に写真とガイド文を対応させ把握が容易になるとともに、それぞれの旅行者の希望は、写真の選択とレイアウトの指定などによって反映させることができ、各旅行者に独自の旅行アルバム１０を提供することができる。このとき、編集サーバ１の編集処理は、画像データを収集した後に短時間内に完了できるので、団体ツアーの最終日など迅速に旅行アルバム１０を各旅行者に提供することができる。
【００５９】
なお、本実施形態では、複数のディジタルカメラ４から出力される画像データが、団体ツアーの担当者の持つＰＣ３により取得される場合を説明したが、かかる形態に限られず本発明を適用可能である。例えば、インターネット接続機能を持つディジタルカメラ４やディジタルカメラ付き携帯電話を用いて、インターネット６を介して画像データを直接編集サーバ１に伝送するように構成してもよい。この場合は、画像属性管理テーブルや行程管理情報は、編集サーバ１の側で更新管理することが望ましい。
【００６０】
また、本実施形態では、編集処理の際に用いる編集素材としての文章データとして、各々の訪問先に対応して予め用意されたガイド文データを用いる場合を説明したが、かかる形態に限られず本発明を適用可能である。例えば、各々の訪問先に対応する複数の文章データを用意し、その中から旅行者の好みに応じて選択された文章データを編集素材として用いるようにしてもよい。あるいは、旅行者の私的なコメントをデータとして入力し、それを文章データとして設定するようにしてもよい。
【００６１】
また、本実施形態では、旅行アルバムシステムの編集サーバ１が旅行業者によって構築される場合を説明したが、これに限られることなく、他の事業者によって構築される編集サーバ１を用いてもよい。この場合、旅行アルバムサービスを提供する所定の事業者が、インターネット６に接続される編集サーバ１を構築した上で、特定の団体ツアーをサービスの対象として本実施形態と同様の編集処理を行えばよい。
【００６２】
【発明の効果】
以上説明したように本発明によれば、旅行中に撮影された写真の画像データを収集して訪問先に関連付けて管理し、旅行者に対応するように画像データを選択し、画像データとガイド文データを組み合わせて編集された旅行アルバムを旅行者に提供する。従って、各々の旅行者の希望する写真が掲載され、それぞれに適した旅行アルバムを迅速に提供することができる。また、旅行アルバムにより、写真と訪問先の関係を明確に把握することができるとともに、ガイド文により訪問先の関連説明を認識することができる。
【図面の簡単な説明】
【図１】本実施形態に係る旅行アルバムサービスシステムの全体を示す概略構成図である。
【図２】本実施形態の団体ツアーの行程の具体例について行程中の画像データの流れとともに説明する図である。
【図３】行程管理情報の一例を示す図である。
【図４】画像属性管理テーブルの一例を示す図である。
【図５】編集サーバにより実行される編集処理の流れを示すフローチャートである。
【図６】旅行アルバムの所定ページの具体例を示す図である。
【符号の説明】
１  編集サーバ
２  データベース
３  ノートＰＣ
４  ディジタルカメラ
５  印刷製本装置
６  インターネット
１０  旅行アルバム
【図１】
2004259006.tif 000003
【図２】
2004259006.tif 000004
【図３】
2004259006.tif 000005
【図４】
2004259006.tif 000006
【図５】
2004259006.tif 000007
【図６】
2004259006.tif 000008